(57)【特許請求の範囲】
【請求項１】
第１の軸端部においてＨＦインターフェース（１０）の接続部（２２）と差込接続するように形成されたスリーブ（１４）を備え、前記スリーブ（１４）と前記ＨＦインターフェース（１０）の接続部（２２）とが差込接続された状態で、前記ＨＦインターフェース（１０）の前記接続部（２２）と対面する前記スリーブ（１４）の表面には、軸方向に少なくとも１つの第１の溝（３０）が配設され、少なくとも１つの第１の溝（３０）に嵌合する少なくとも１つの円筒型ピン（２０）が配設されたＨＦインターフェース（１０）に高周波（ＨＦ）ケーブル（１２）を接続する接続装置であって、
前記スリーブは、前記第１の軸端部に対して軸方向反対側の第２の軸端部において前記ＨＦケーブル（１２）と接続するように形成され、互いに整列した２つの第１の溝と第２の溝（３０，３２）内に前記円筒型ピン（２０）を配置することで前記接続部（２２）に対する前記スリーブ（１４）の回転を阻止し、その結果、前記接続部（２２）に対する前記スリーブ（１４）の相対角位置が固定されるように、前記スリーブ（１４）に対面する前記ＨＦインターフェース（１０）の面に少なくとも１つの第２の溝（３２）が形成されていることを特徴とする接続装置。
【請求項２】
請求項１に記載の接続装置において、
前記スリーブ（１４）は、前記スリーブ（１４）と前記ＨＦインターフェース（１０）の前記接続部（２２）との差込接続状態において、前記スリーブ（１４）の外周が前記ＨＦインターフェース（１０）の前記接続部（２２）の内周と対面するように形成され、前記少なくとも１つの第１の溝（３０）が前記スリーブ（１４）の外周面に形成されていることを特徴とする接続装置。
【請求項３】
請求項１に記載の接続装置において、
前記スリーブ（１４）は、前記スリーブ（１４）と前記ＨＦインターフェース（１０）の前記接続部（２２）との差込接続状態において、前記スリーブ（１４）の内周が前記ＨＦインターフェース（１０）の前記接続部（２２）の外周と対面するように形成され、前記少なくとも１つの第１の溝（３０）が、前記スリーブ（１４）の内周面に形成されていることを特徴とする接続装置。
【請求項４】
請求項１から請求項３のいずれか１項に記載の接続装置において、
前記少なくとも１つの第１の溝（３０）は、前記スリーブ（１４）の前記第１の軸端部まで延出することを特徴とする接続装置。
【請求項５】
請求項１から請求項４のいずれか１項に記載の接続装置において、
前記ＨＦインターフェース（１０）の前記接続部（２２）に対して着脱自在な機械的接続とするために、前記スリーブ（１４）を前記ＨＦインターフェース（１０）の前記接続部（２２）に軸方向に固定するように形成されたカップリングナット（１８）が配設されることを特徴とする接続装置。
【請求項６】
請求項５に記載の接続装置において、
前記カップリングナット（１８）は、前記ＨＦインターフェース（１０）の前記接続部（２２）のねじ（２４）と嵌合する内側ねじを有することを特徴とする接続装置。
【請求項７】
請求項１から請求項６のいずれか１項に記載の接続装置において、
少なくとも２つの第１の溝（３０）が、半径方向に所定の角距離α（３４）をもって前記スリーブ（１４）上に形成されていることを特徴とする接続装置。
【請求項８】
請求項７に記載の接続装置において、
前記所定の角距離α（３４）は、６０°の値を持つことを特徴とする接続装置。
【請求項９】
請求項７または請求項８に記載の接続装置において、
前記第１の溝（３０）の数Ｎが、
Ｎ＝３６０°／α
の値を持つことを特徴とする接続装置。
【請求項１０】
請求項１から請求項９のいずれか１項に記載の接続装置において、
前記接続装置は、少なくとも１つの円筒型ピン（２０）を有し、
前記円筒型ピンの外半径は、前記少なくとも１つの第１の溝（３０）の半径に実質的に一致することを特徴とする接続装置。
【請求項１１】
請求項１に記載の接続装置において、
円周方向に１５°の値の角距離β（３６）を有する、少なくとも２つの第２の溝が形成されていることを特徴とする接続装置。
【請求項１２】
請求項２と、請求項１または請求項４〜請求項１１のいずれか１項とに記載の接続装置において、
前記ＨＦインターフェース（１０）の前記接続部（２２）の内周面上に前記少なくとも１つの第２の溝（３２）が形成されていることを特徴とする接続装置。
【請求項１３】
請求項３と、請求項１または請求項４〜請求項１１のいずれか１項とに記載の接続装置において、
前記ＨＦインターフェース（１０）の前記接続部（２２）の内周面上に前記少なくとも１つの第２の溝（３２）が形成されていることを特徴とする接続装置。
【請求項１４】
請求項１から請求項１３のいずれか１項に記載の接続装置において、
前記少なくとも１つの第２の溝（３２）は、前記スリーブ（１４）に対面する前記ＨＦインターフェース（１０）の前記接続部（２２）の端部まで延出することを特徴とする接続装置。
【請求項１５】
請求項１から請求項１４のいずれか１項に記載の接続装置において、
前記ＨＦインターフェース（１０）の前記接続部（２２）は、外側ねじ（２４）を有することを特徴とする接続装置。
【請求項１６】
請求項１から請求項１５のいずれか１項に記載の接続装置において、
前記ＨＦインターフェース（１０）は、同軸プラグインコネクタ又は中空導体であり、
前記ＨＦケーブル（１２）は、同軸ケーブルである
ことを特徴とする接続装置。
【発明の詳細な説明】
【技術分野】
【０００１】
本発明は、ＨＦインターフェースに高周波（ＨＦ）ケーブルを接続する、請求項１の前提部分に記載の接続装置に関する。
【背景技術】
【０００２】
ＨＦケーブルは製作時に、それぞれの端部において、対応するＨＦインターフェースに接続される。このＨＦインターフェースは、例えば、中空導体フランジまたはＨＦコネクタであり、特に、ＰＬコネクタ、ＢＮＣコネクタ、ＴＮＣコネクタ、ＳＭＢＡ（ＦＡＫＲＡ）コネクタ、Ｎコネクタ、７−１６コネクタ、ＳＭＡコネクタ、ＳＭＢコネクタ、ＳＭＳコネクタ、ＳＭＣコネクタまたはＳＭＰコネクタである。「コネクタ」という表現はここではプラグコネクタまたはブッシュコネクタを表すと理解される。ＨＦケーブルとそれに対応するＨＦインターフェースとの間の電気的接続または機械的接続は、通常、はんだ付け、接着または締付けによって行なわれる。ケーブル端部と、装置へのそれに対応するＨＦインターフェースとの整列または接続によって、例えば、回転運動はねじりモーメントを引き起こし、それは、ＨＦケーブルや、ＨＦケーブルとＨＦインターフェースとの接続を望ましくない態様に緩めたり、破損したり、ずらしたりする可能性がある。
【発明の概要】
【発明が解決しようとする課題】
【０００３】
本発明は、接続の電気的特性およびＨＦ特性に影響を及ぼすことなくＨＦケーブルとＨＦインターフェースとの角位置をフレキシブルかつ簡単に調整することができる、前述のタイプの接続装置を提供するという課題に基づく。
【課題を解決するための手段】
【０００４】
本発明によれば、請求項１で特定する特徴を持つ前述のタイプの接続装置と、請求項１１で特定する特徴を持つ前述のタイプのＨＦインターフェースによって、この課題が解決される。本発明の有利な実施形態は他の請求項に記述されている。
【０００５】
本発明により、前述のタイプの接続装置は、第１の軸端部においてＨＦインターフェースの接続部と差込接続するように形成されるともに、前記第１の軸端部と軸方向反対側の第２の軸端部においてＨＦケーブルと接続するように形成されたスリーブを備え、スリーブとＨＦインターフェースの接続部が差込接続された状態においてＨＦインターフェースの接続部と対面するスリーブの表面には、軸方向にわたる少なくとも１つの第１の溝が配設され、少なくとも１つの第１の溝に嵌合する少なくとも１つの円筒型ピンが配設される。
【０００６】
これには、設置後の状態においてＨＦケーブルとＨＦインターフェースの間の接続点が実質的にねじり力に影響されないようにするために、ＨＦケーブルの一端に接続されたＨＦインターフェースが耐ねじれ性でありながらも着脱自在にＨＦケーブルに接続されて、結果的に、設置状況に適した設置位置におけるＨＦインターフェースとＨＦケーブルの間の所望の角度を調整することができるという利点がある。スリーブとＨＦインターフェースの接続部を差込接続するときに円筒型ピンを第１の溝に単に差し込むだけで、ＨＦケーブルとＨＦインターフェースの間の相対角位置が簡単な手段によって遊動なしで固定され、接続のＨＦ特性は影響を受けない。同時に、相対角位置の固定は解除されることができるため、ＨＦケーブルまたはケーブルに接続される装置の設置位置にその後変化があっても、別の相対角位置に調整して固定することができる。
【０００７】
ＨＦインターフェースの接続部へのスリーブの嵌合は、スリーブとＨＦインターフェースの接続部との差込接続状態においてスリーブの外周がＨＦインターフェースの接続部の内周と対面するようにスリーブが形成されることで達成され、スリーブの外周面には少なくとも１つの第１の溝が形成されている。
【０００８】
ＨＦインターフェースの接続部の周りのスリーブの外側の包囲は、スリーブとＨＦインターフェースの接続部との差込接続状態においてスリーブの内周がＨＦインターフェースの接続部の外周と対面するようにスリーブが形成されることで達成され、スリーブの内周面には少なくとも１つの第１の溝が形成されている。
【０００９】
少なくとも１つの第１の溝がスリーブの第１の軸端部まで延出することで、スリーブとＨＦインターフェースの接続部との特別に簡単な差込接続が達成される。
【００１０】
接続装置とＨＦインターフェースとの間の着脱自在な接続を可能にするためにカップリングナットが配設され、そのカップリングナットは、ＨＦインターフェースの接続部との着脱自在な機械的接続を提供するために、スリーブをＨＦインターフェースの接続部に軸方向に固定するように形成されている。
【００１１】
カップリングナットが、ねじ、特にＨＦインターフェースの接続部の対応するねじと嵌合する内側ねじを持つことで、特別に簡単で着脱自在な接続が達成される。
【００１２】
スリーブとＨＦインターフェースの接続部との間での様々な角度での調整機能を向上させるために、半径方向に所定の角距離αを持つ少なくとも２つの第１の溝がスリーブ上に形成される。所定の角距離αは、６０°の値である。
【００１３】
第１の溝の回転対称構成は、第１の溝の数Ｎが、
Ｎ＝３６０°／αの値を持つことで達成される。
【００１４】
接続装置が少なくとも１つの円筒型ピンをもち、ピンの外半径が少なくとも１つの第１の溝の半径に実質的に一致することで、スリーブとＨＦインターフェースの接続部との間の特別に良好な嵌合と固定が達成される。
【００１５】
本発明による前述のタイプのＨＦインターフェースでは、スリーブを持つ接続装置が提供され、その接続装置は上述の如く形成されている。
【００１６】
これには、設置後の状態においてＨＦケーブルとＨＦインターフェースの間の接続点が実質的にねじり力に影響されないようにするために、ＨＦケーブルの一端に接続されたＨＦインターフェースが耐ねじれ性でありながらも着脱自在にＨＦケーブルに接続されて、結果的に、設置状況に適した設置位置におけるＨＦインターフェースとＨＦケーブルの間の所望の角度を調整することができるという利点がある。スリーブとＨＦインターフェースの接続部を差込接続するときに円筒型ピンを第１の溝に単に差し込むだけで、ＨＦケーブルとＨＦインターフェースの間の相対角位置が簡単な手段によって遊動なしで固定されるが、接続のＨＦ特性は影響を受けない。同時に、相対角位置の固定は解除することができるため、ＨＦケーブルまたはケーブルに接続される装置の設置位置にその後変化が生じても、別の相対角位置に調整して固定することができる。
【００１７】
接続のＨＦ特性をさらに改良した、ＨＦインターフェースとＨＦケーブルの間の角位置の付加的な固定は、スリーブに対面するＨＦインターフェースの表面上に少なくとも１つの第２の溝を形成することで達成される。
【００１８】
ＨＦインターフェースとＨＦケーブルとの間の角位置を特に良好に精密に調整するために、円周方向に１５°の値の角距離で少なくとも２つの第２の溝が形成される。
【００１９】
ＨＦインターフェースの接続部へのスリーブの嵌合は、接続装置を請求項２により形成され、少なくとも１つの第２の溝をＨＦインターフェースの内周面上に形成することで達成される。
【００２０】
ＨＦインターフェースの接続部の周りのスリーブの外側の包囲は、ＨＦインターフェースの接続部の外周面上に少なくとも１つの第２の溝を形成することで達成される。
【００２１】
少なくとも１つの第２の溝が、スリーブと対面するＨＦインターフェースの接続部の一端まで延出することで、スリーブとＨＦインターフェースの接続部との特別に簡単な差込接続が達成される。
【００２２】
ＨＦインターフェースの接続部が外側ねじを持つことで、ＨＦケーブルとＨＦインターフェースの間の特別に簡単で着脱自在な接続が達成される。
【図面の簡単な説明】
【００２３】
【図１】本発明による接続装置の好適な実施形態の分解図である。
【図２】本発明による接続装置のスリーブの側面図である。
【図３】図２のスリーブの正面図である。
【図４】ＨＦインターフェースの接続部の正面図である。
【発明を実施するための形態】
【００２４】
本発明を、図面を参照して説明する。
【００２５】
図１に示す本発明による接続装置の好適な実施形態は、同軸中空導体インターフェースを持つ中空導体の形態の本発明によるＨＦインターフェース１０とともに示されている。しかし、これは単に例として示したものである。中空導体として形成する代わりにＨＦインターフェース１０を、ブッシュコネクタまたはプラグコネクタの形態の対応するプラグインターフェースを持つＨＦ同軸プラグインコネクタとして形成することもできる。接続装置は、ＨＦインターフェース１０をＨＦケーブル１２に接続し、図１においてそれは例として同軸コルゲートケーブルの形態で示されている。
【００２６】
接続装置は、スリーブ１４と、支持要素１６と、カップリングナット１８と、円筒型ピン２０とを有する。ＨＦインターフェース１０は、外側ねじ２４と中空導体フランジ２６を具えた接続部２２を有する。スリーブ１４は、スリーブ１４の外周面を接続部２２の内周面に対面させるようにスリーブ１４を接続部２２内に差し込むことができる様式に形成されている。しかし、別の実施形態において、接続部２２の外周面をスリーブ１４の内周面に対面させるように、所定の軸方向区分にわたりスリーブで接続部２２を包囲することも可能である。
【００２７】
図２および図３から特に見て取れるように、いくつかの第１の溝３０がスリーブ１４の外周上に形成されている。図４から特に見て取れるように、いくつかの第２の溝３２が接続部２２の内周上に形成されている。第１の溝３０および第２の溝３２は、スリーブ１４が接続部２２に対して対応する角度で整列した状態で、少なくとも１つの第１の溝３０が第２の溝３２に整列して、両者の間に円筒型ピン２０を収容する空間を形成するように形成されている。互いに整列した２つの第１の溝３０および第２の溝３２に円筒型ピン２０を配置することで、接続部２２に対するスリーブ１４の回転が阻止され、その結果、接続部２２に対するスリーブ１４の相対角位置が固定される。
【００２８】
スリーブ１４と接続部２２との間の角位置の粗調整のため、スリーブ１４の外周上に、α＝６０°の値である角度α３４で円周上に等間隔に配置された６つの第１の溝３０が形成されている。スリーブ１４と接続部２２との間の角位置の精密な調整のため、接続部２２上に、β＝１５°の値である角度β３６で間隔を開けた５つの第２の溝３２が形成されている。
【００２９】
カップリングナットは、対応する内側ねじによって、スリーブ１４を介して接続部２２の外側ねじ２４に嵌合し、捩じ込まれた状態でスリーブ１４を接続部２２に軸方向に固定する。同時にスリーブ１４は、ＨＦケーブル１２、またはその波形形状の鞘またはその外側導体にしっかりと接続され、その結果このようにＨＦケーブル１２がＨＦインターフェース１０と電気的かつ機械的に接続される。接続部２２からカップリングナット１８を単に回して外してスリーブ１４を接続部２２から軸方向に取り出すだけで、この接続を外すことができ、スリーブ１４と接続部２２との相対角位置、したがってＨＦケーブル１２とＨＦインターフェース１０との相対角位置を変更することができる。新たな所望の角位置が達成されるとすぐに、スリーブ１４は、２つの整列した第１の溝３０及び第２の溝３２の間に円筒型ピンがある状態で、再び接続部２２へと押し込まれ、カップリングナット１８が再び接続部２２上に捩じ込まれる。こうして、ＨＦケーブル１２とＨＦインターフェース１０との間の角位置はいつでも新たな設置状況に適合されることができて、ＨＦインターフェース１０がねじれ歪なしでＨＦケーブル１２上の装置に接続されることができる。本発明のおかげで、この目的のために新たなＨＦインターフェースを持つ新たなＨＦケーブルを製作する必要がなくなる。本発明により、対応するＨＦインターフェース１０を持つＨＦケーブルを製作するにあたり、ＨＦインターフェース１０をＨＦケーブル１２に取り付ける場合にＨＦケーブル１２のその後の設置状況を考慮する必要がなくなる。ＨＦケーブル１２の設置位置の適合は上述の方式で簡単に行なうことができる。
【００３０】
スリーブ１４と、第１の溝３０，第２の溝３２および円筒型ピン２０を備えた接続部２２の間の接続構成の意味するところは、構成要素の非常に精密に適合する製作が可能なので、スリーブ１４と接続部２２との間の接続が実質的に遊動なしで実現できるということである。このことは、接続の良好なＨＦ特性を達成して、ＨＦケーブル１２とＨＦインターフェース１０とのこの種の接続を、重大な損失または信号の歪みなしに極めて高周波の信号に用いられることができるようにするので特に重要である。
【００３１】
上述した接続装置は、その製作と無関係に、力とモーメントを吸収して、接続される構成要素への破損を有効に防止するように設計された複数の接続要素であるので、機械的歪力下での完全な機能性を保証する。接続は簡単に外すことができ、ＨＦインターフェース１０とＨＦケーブル１２の整列の相対角度は、ＨＦケーブル１２の設置現況に合わせて変更、調整することができる。
【００３２】
第１の溝３０，第２の溝３２は、両者がそれぞれ中空シリンダーの半分を形成してその中に円筒型ピン２０が嵌合する（嵌合キー溝原理）ように形成されることが好ましい。
【図１】
0005643837.tif 000002
【図２】
0005643837.tif 000003
【図３】
0005643837.tif 000004
【図４】
0005643837.tif 000005